(57)【特許請求の範囲】
【請求項１】
ヨロイ部に折り畳み可能に結合されたテンプル部を有する眼鏡フレームにおいて、
前記ヨロイ部と前記テンプル部との結合部に設けられ、前記テンプル部が折り畳まれた第１の状態で、ウェアラブル機器を着脱可能とし、前記テンプル部が使用者の耳に掛けられるように開いた第２の状態で、前記ウェアラブル機器の着脱が規制される装着部を備え、
前記装着部は、前記ウェアラブル機器が着脱可能な開口部を有する、
ことを特徴とする眼鏡フレーム。
【請求項２】
前記装着部は、前記テンプル部側に形成され、該テンプル部の前記ヨロイ部に対する当て付け面に開放した前記開口部を有し、前記第１の状態において、前記当て付け面側から前記開口部に対して前記ウェアラブル機器を着脱可能とし、前記第２の状態において、前記開口部の前記当て付け面側が前記ヨロイ部により閉塞されて、前記ウェアラブル機器の着脱が規制されるように構成されている、ことを特徴とする請求項１に記載の眼鏡フレーム。
【請求項３】
前記装着部は、前記ヨロイ部側に形成され、該ヨロイ部の前記テンプル部に対する当て付け面に開放した前記開口部を有し、前記第１の状態において、前記当て付け面側から前記開口部に対して前記ウェアラブル機器を着脱可能とし、前記第２の状態において、前記開口部の前記当て付け面側が前記テンプル部により閉塞されて、前記ウェアラブル機器の着脱が規制されるように構成されている、ことを特徴とする請求項１に記載の眼鏡フレーム。
【請求項４】
ヨロイ部に折り畳み可能に結合されたテンプル部を有する眼鏡フレームにおいて、
前記ヨロイ部と前記テンプル部との結合部に設けられ、前記テンプル部が折り畳まれた第１の状態で、ウェアラブル機器を着脱可能とし、前記テンプル部が使用者の耳に掛けられるように開いた第２の状態で、前記ウェアラブル機器の着脱が規制される装着部を備え、
前記装着部は、前記第２の状態において、前記テンプル部又は前記ヨロイ部に設けられた切り欠き部に収納される、
ことを特徴とする眼鏡フレーム。
【請求項５】
前記装着部は、前記ヨロイ部に設けられ、前記第１の状態において、前記ヨロイ部から露出して前記ウェアラブル機器を着脱可能とし、前記第２の状態において、前記テンプル部に形成された前記切り欠き部に収納されて前記ウェアラブル機器の着脱が規制されるように構成されている、ことを特徴とする請求項４に記載の眼鏡フレーム。
【請求項６】
前記装着部は、前記テンプル部に設けられ、前記第１の状態において、前記テンプル部から露出して前記ウェアラブル機器を着脱可能とし、前記第２の状態において、前記ヨロイ部に形成された前記切り欠き部に収納されて前記ウェアラブル機器の着脱が規制されるように構成されている、ことを特徴とする請求項４に記載の眼鏡フレーム。
【請求項７】
前記装着部は、前記ウェアラブル機器の装着状態で、当該ウェアラブル機器の所定の導電通路を導通させるための導電補助部を有する、ことを特徴とする請求項１乃至６のいずれか一項に記載の眼鏡フレーム。
【請求項８】
前記導電補助部は、前記第２の状態で前記導電通路を導通させ、前記第１の状態で前記導電通路を遮断するように構成されている、ことを特徴とする請求項７に記載の眼鏡フレーム。
【請求項９】
前記導電補助部は、前記テンプル部に設けられた第１導電部と、前記テンプル部を前記ヨロイ部に対して折り畳み可能に支持する蝶番を介して前記第１導電部に電気的に接続されて前記ヨロイ部に設けられた第２導電部とを有し、
前記第１の状態で前記ウェアラブル機器が前記装着部に装着されると、前記ウェアラブル機器の前記導電通路に設けられた一方の電極が前記第１導電部または前記第２導電部に電気的に接続され、前記ウェアラブル機器が前記装着部に装着されて前記第２の状態になると、前記ウェアラブル機器の前記導電通路に設けられた他方の電極が前記第２導電部または前記第１導電部に電気的に接続されて、前記ウェアラブル機器の前記一方の電極と前記他方の電極との間が前記導電補助部を介して導通するように構成されている、ことを特徴とする請求項８に記載の眼鏡フレーム。
【請求項１０】
ヨロイ部に折り畳み可能に結合されたテンプル部を有する眼鏡フレームに着脱自在に装着されるウェアラブル機器の取り付け用のアタッチメントであって、
該アタッチメントは、前記ヨロイ部と前記テンプル部との結合部に着脱自在に装着されるものであり、前記眼鏡フレームに装着された状態で、前記テンプル部が折り畳まれた第１の状態において、前記ウェアラブル機器を着脱可能とし、前記テンプル部が使用者の耳に掛けられるように開いた第２の状態において、前記ウェアラブル機器の着脱が規制される装着部を備え、
前記装着部は、前記ウェアラブル機器が着脱可能な開口部を有する、
ことを特徴とするアタッチメント。
【請求項１１】
前記アタッチメントは、前記テンプル部側に装着されるテンプル側アタッチメントと、前記ヨロイ部側に装着されるヨロイ側アタッチメントとを備え、
前記装着部は、前記テンプル側アタッチメントに形成され、該テンプル側アタッチメントの前記ヨロイ側アタッチメントに対する当て付け面に開放した前記開口部を有し、前記第１の状態において、前記当て付け面側から前記開口部に対して前記ウェアラブル機器を着脱可能とし、前記第２の状態において、前記開口部の前記当て付け面側が前記ヨロイ側アタッチメントにより閉塞されて、前記ウェアラブル機器の着脱が規制されるように構成されている、ことを特徴とする請求項１０に記載のアタッチメント。
【請求項１２】
前記アタッチメントは、前記テンプル部側に装着されるテンプル側アタッチメントと、前記ヨロイ部側に装着されるヨロイ側アタッチメントとを備え、
前記装着部は、前記ヨロイ側アタッチメントに形成され、該ヨロイ側アタッチメントの前記テンプル部に対する当て付け面に開放した前記開口部を有し、前記第１の状態において、前記当て付け面側から前記開口部に対して前記ウェアラブル機器を着脱可能とし、前記第２の状態において、前記開口部の前記当て付け面側が前記テンプル側アタッチメントにより閉塞されて、前記ウェアラブル機器の着脱が規制されるように構成されている、ことを特徴とする請求項１０に記載のアタッチメント。
【請求項１３】
ヨロイ部に折り畳み可能に結合されたテンプル部を有する眼鏡フレームに着脱自在に装着されるウェアラブル機器の取り付け用のアタッチメントであって、
該アタッチメントは、前記ヨロイ部と前記テンプル部との結合部に着脱自在に装着されるものであり、前記眼鏡フレームに装着された状態で、前記テンプル部が折り畳まれた第１の状態において、前記ウェアラブル機器を着脱可能とし、前記テンプル部が使用者の耳に掛けられるように開いた第２の状態において、前記ウェアラブル機器の着脱が規制される装着部と、
前記第２の状態において、前記装着部を収納する切り欠き部とを備える、
ことを特徴とするアタッチメント。
【請求項１４】
前記アタッチメントは、前記テンプル部側に装着されるテンプル側アタッチメントと、前記ヨロイ部側に装着されるヨロイ側アタッチメントとを備え、
前記装着部は、前記ヨロイ側アタッチメントに設けられ、前記第１の状態において、前記ヨロイ部から露出して前記ウェアラブル機器を着脱可能とし、前記第２の状態において、前記テンプル側アタッチメントに形成された前記切り欠き部に収納されて前記ウェアラブル機器の着脱が規制されるように構成されている、ことを特徴とする請求項１３に記載のアタッチメント。
【請求項１５】
前記アタッチメントは、前記テンプル部側に装着されるテンプル側アタッチメントと、前記ヨロイ部側に装着されるヨロイ側アタッチメントとを備え、
前記装着部は、前記テンプル側アタッチメントに設けられ、前記第１の状態において、前記テンプル側アタッチメントから露出して前記ウェアラブル機器を着脱可能とし、前記第２の状態において、前記ヨロイ側アタッチメントに形成された前記切り欠き部に収納されて前記ウェアラブル機器の着脱が規制されるように構成されている、ことを特徴とする請求項１３に記載のアタッチメント。
【請求項１６】
前記装着部は、前記ウェアラブル機器の装着状態で、当該ウェアラブル機器の所定の導電通路を導通させるための導電補助部を有する、ことを特徴とする請求項１１、１２、１４又は１５に記載のアタッチメント。
【請求項１７】
前記導電補助部は、前記第２の状態で前記導電通路を導通させ、前記第１の状態で前記導電通路を遮断するように構成されている、ことを特徴とする請求項１６に記載のアタッチメント。
【請求項１８】
前記導電補助部は、前記テンプル側アタッチメントに設けられた第１導電部と、前記テンプル部を前記ヨロイ部に対して折り畳み可能に支持する蝶番を介して前記第１導電部に電気的に接続されるように前記ヨロイ側アタッチメントに設けられた第２導電部とを有し、
前記第１の状態で前記ウェアラブル機器が前記装着部に装着されると、前記ウェアラブル機器の前記導電通路に設けられた一方の電極が前記第１導電部または前記第２導電部に電気的に接続され、前記ウェアラブル機器が前記装着部に装着されて前記第２の状態になると、前記ウェアラブル機器の前記導電通路に設けられた他方の電極が前記第２導電部または前記第１導電部に電気的に接続されて、前記ウェアラブル機器の前記一方の電極と前記他方の電極との間が前記導電補助部を介して導通するように構成されている、ことを特徴とする請求項１７に記載のアタッチメント。
【発明の詳細な説明】
【技術分野】
【０００１】
本発明は、ウェアラブル機器を取り付け可能な眼鏡フレーム、および、ウェアラブル機器を眼鏡フレームに取り付けるためのアタッチメントに関するものである。
【背景技術】
【０００２】
近年、ウェアラブル機器として、眼鏡フレームに装着可能な画像表示装置や小型カメラ等が提案されている。また、ウェアラブル機器を眼鏡フレームに取り付ける手法として、画像表示装置にクリップを取り付けて、クリップにより眼鏡レンズ付近を挟み込んで取り付ける方法（例えば、特許文献１参照）や、眼鏡レンズに突起状の中間部材を介して画像表示装置を取り付ける方法が知られている（例えば、特許文献２参照）。
【先行技術文献】
【特許文献】
【０００３】
【特許文献１】特開２００８−２４４６５８号公報
【特許文献２】特開２００６−５４６１８号公報
【発明の概要】
【発明が解決しようとする課題】
【０００４】
しかしながら、上記の特許文献１に開示の取り付け方法にあっては、単に、クリップのバネ力で眼鏡レンズ等を挟み込んで画像表示装置を取り付けるようにしている。このため、画像表示装置に接続されているケーブル等が誤って引っ張られると、画像表示装置が簡単に脱落して損傷することが懸念される。また、眼鏡レンズがクリップによって挟まれるため、眼鏡レンズの表面やコーティング等が損傷することも懸念される。さらに、眼鏡レンズにクリップが挟まれるため、クリップが目立って見栄えが損なわれることになる。
【０００５】
また、上記特許文献２に開示の取り付け方法にあっては、眼鏡レンズに突起状の中間部材を取り付け、この中間部材に画像表示装置を単に着脱自在に嵌め込んで取り付けるようにしている。このため、特許文献１の場合と同様に、画像表示装置に接続されているケーブル等が誤って引っ張られると、画像表示装置が簡単に脱落して損傷することが懸念される。また、眼鏡レンズに中間部材を取り付けるため、眼鏡レンズの表面やコーティング等が損傷することも懸念される。さらに、画像表示装置を取り外した非使用時は、眼鏡レンズに中間部材が残って外部から見えることになるため、外観が損なわれることになる。
【０００６】
したがって、かかる点に鑑みてなされた本発明の目的は、眼鏡レンズを損傷することなく、ウェアラブル機器を眼鏡フレームに容易に着脱でき、かつ、ウェアラブル機器を装着した眼鏡フレームを使用者が掛けた状態では、眼鏡フレームからのウェアラブル機器の脱落を確実に防止でき、しかもウェアラブル機器の装着状態および非装着状態での見栄えを損なうことのない眼鏡フレームおよびアタッチメントを提供することにある。
【課題を解決するための手段】
【０００７】
上記目的を達成する第１の観点に係る眼鏡フレームの発明は、
ヨロイ部に折り畳み可能に結合されたテンプル部を有する眼鏡フレームにおいて、
前記ヨロイ部と前記テンプル部との結合部に設けられ、前記テンプル部が折り畳まれた第１の状態で、ウェアラブル機器を着脱可能とし、前記テンプル部が使用者の耳に掛けられるように開いた第２の状態で、前記ウェアラブル機器の着脱が規制される装着部を備え、
前記装着部は、前記ウェアラブル機器が着脱可能な開口部を有する、
ことを特徴とするものである。
【０００８】
第２の観点に係る発明は、第１の観点に係る眼鏡フレームにおいて、
前記装着部は、前記テンプル部側に形成され、該テンプル部の前記ヨロイ部に対する当て付け面に開放した前記開口部を有し、前記第１の状態において、前記当て付け面側から前記開口部に対して前記ウェアラブル機器を着脱可能とし、前記第２の状態において、前記開口部の前記当て付け面側が前記ヨロイ部により閉塞されて、前記ウェアラブル機器の着脱が規制されるように構成されている、ことを特徴とするものである。
【０００９】
第３の観点に係る発明は、第１の観点に係る眼鏡フレームにおいて、
前記装着部は、前記ヨロイ部側に形成され、該ヨロイ部の前記テンプル部に対する当て付け面に開放した前記開口部を有し、前記第１の状態において、前記当て付け面側から前記開口部に対して前記ウェアラブル機器を着脱可能とし、前記第２の状態において、前記開口部の前記当て付け面側が前記テンプル部により閉塞されて、前記ウェアラブル機器の着脱が規制されるように構成されている、ことを特徴とするものである。
【００１０】
さらに、上記目的を達成する第４の観点に係る眼鏡フレームの発明は、
ヨロイ部に折り畳み可能に結合されたテンプル部を有する眼鏡フレームにおいて、
前記ヨロイ部と前記テンプル部との結合部に設けられ、前記テンプル部が折り畳まれた第１の状態で、ウェアラブル機器を着脱可能とし、前記テンプル部が使用者の耳に掛けられるように開いた第２の状態で、前記ウェアラブル機器の着脱が規制される装着部を備え、
前記装着部は、前記第２の状態において、前記テンプル部又は前記ヨロイ部に設けられた切り欠き部に収納される、
ことを特徴とするものである。
第５の観点に係る発明は、第４の観点に係る眼鏡フレームにおいて、
前記装着部は、前記ヨロイ部に設けられ、前記第１の状態において、前記ヨロイ部から露出して前記ウェアラブル機器を着脱可能とし、前記第２の状態において、前記テンプル部に形成された前記切り欠き部に収納されて前記ウェアラブル機器の着脱が規制されるように構成されている、ことを特徴とするものである。
【００１１】
第６の観点に係る発明は、第４の観点に係る眼鏡フレームにおいて、
前記装着部は、前記テンプル部に設けられ、前記第１の状態において、前記テンプル部から露出して前記ウェアラブル機器を着脱可能とし、前記第２の状態において、前記ヨロイ部に形成された前記切り欠き部に収納されて前記ウェアラブル機器の着脱が規制されるように構成されている、ことを特徴とするものである。
【００１２】
第７の観点に係る発明は、第１乃至６のいずれかの観点に係る眼鏡フレームにおいて、
前記装着部は、前記ウェアラブル機器の装着状態で、当該ウェアラブル機器の所定の導電通路を導通させるための導電補助部を有する、ことを特徴とするものである。
【００１３】
第８の観点に係る発明は、第７の観点に係る眼鏡フレームにおいて、
前記導電補助部は、前記第２の状態で前記導電通路を導通させ、前記第１の状態で前記導電通路を遮断するように構成されている、ことを特徴とするものである。
【００１４】
第９の観点に係る発明は、第８の観点に係る眼鏡フレームにおいて、
前記導電補助部は、前記テンプル部に設けられた第１導電部と、前記テンプル部を前記ヨロイ部に対して折り畳み可能に支持する蝶番を介して前記第１導電部に電気的に接続されて前記ヨロイ部に設けられた第２導電部とを有し、
前記第１の状態で前記ウェアラブル機器が前記装着部に装着されると、前記ウェアラブル機器の前記導電通路に設けられた一方の電極が前記第１導電部または前記第２導電部に電気的に接続され、前記ウェアラブル機器が前記装着部に装着されて前記第２の状態になると、前記ウェアラブル機器の前記導電通路に設けられた他方の電極が前記第２導電部または前記第１導電部に電気的に接続されて、前記ウェアラブル機器の前記一方の電極と前記他方の電極との間が前記導電補助部を介して導通するように構成されている、ことを特徴とするものである。
【００１５】
さらに、上記目的を達成する第１０の観点に係るアタッチメントの発明は、
ヨロイ部に折り畳み可能に結合されたテンプル部を有する眼鏡フレームに着脱自在に装着されるウェアラブル機器の取り付け用のアタッチメントであって、
該アタッチメントは、前記ヨロイ部と前記テンプル部との結合部に着脱自在に装着されるものであり、前記眼鏡フレームに装着された状態で、前記テンプル部が折り畳まれた第１の状態において、前記ウェアラブル機器を着脱可能とし、前記テンプル部が使用者の耳に掛けられるように開いた第２の状態において、前記ウェアラブル機器の着脱が規制される装着部を備え、
前記装着部は、前記ウェアラブル機器が着脱可能な開口部を有する、
ことを特徴とするものである。
【００１７】
第１１の観点に係る発明は、第１０の観点に係るアタッチメントにおいて、
前記アタッチメントは、前記テンプル部側に装着されるテンプル側アタッチメントと、前記ヨロイ部側に装着されるヨロイ側アタッチメントとを備え、
前記装着部は、前記テンプル側アタッチメントに形成され、該テンプル側アタッチメントの前記ヨロイ側アタッチメントに対する当て付け面に開放した前記開口部を有し、前記第１の状態において、前記当て付け面側から前記開口部に対して前記ウェアラブル機器を着脱可能とし、前記第２の状態において、前記開口部の前記当て付け面側が前記ヨロイ側アタッチメントにより閉塞されて、前記ウェアラブル機器の着脱が規制されるように構成されている、ことを特徴とするものである。
【００１８】
第１２の観点に係る発明は、第１０の観点に係るアタッチメントにおいて、
前記アタッチメントは、前記テンプル部側に装着されるテンプル側アタッチメントと、前記ヨロイ部側に装着されるヨロイ側アタッチメントとを備え、
前記装着部は、前記ヨロイ側アタッチメントに形成され、該ヨロイ側アタッチメントの前記テンプル部に対する当て付け面に開放した前記開口部を有し、前記第１の状態において、前記当て付け面側から前記開口部に対して前記ウェアラブル機器を着脱可能とし、前記第２の状態において、前記開口部の前記当て付け面側が前記テンプル側アタッチメントにより閉塞されて、前記ウェアラブル機器の着脱が規制されるように構成されている、ことを特徴とするものである。
【００１９】
さらに、上記目的を達成する第１３の観点に係るアタッチメントの発明は、
ヨロイ部に折り畳み可能に結合されたテンプル部を有する眼鏡フレームに着脱自在に装着されるウェアラブル機器の取り付け用のアタッチメントであって、
該アタッチメントは、前記ヨロイ部と前記テンプル部との結合部に着脱自在に装着されるものであり、前記眼鏡フレームに装着された状態で、前記テンプル部が折り畳まれた第１の状態において、前記ウェアラブル機器を着脱可能とし、前記テンプル部が使用者の耳に掛けられるように開いた第２の状態において、前記ウェアラブル機器の着脱が規制される装着部と、
前記第２の状態において、前記装着部を収納する切り欠き部とを備える、
ことを特徴とするものである。
第１４の観点に係る発明は、第１３の観点に係るアタッチメントにおいて、
前記アタッチメントは、前記テンプル部側に装着されるテンプル側アタッチメントと、前記ヨロイ部側に装着されるヨロイ側アタッチメントとを備え、
前記装着部は、前記ヨロイ側アタッチメントに設けられ、前記第１の状態において、前記ヨロイ部から露出して前記ウェアラブル機器を着脱可能とし、前記第２の状態において、前記テンプル側アタッチメントに形成された前記切り欠き部に収納されて前記ウェアラブル機器の着脱が規制されるように構成されている、ことを特徴とするものである。
【００２０】
第１５の観点に係る発明は、第１３の観点に係るアタッチメントにおいて、
前記アタッチメントは、前記テンプル部側に装着されるテンプル側アタッチメントと、前記ヨロイ部側に装着されるヨロイ側アタッチメントとを備え、
前記装着部は、前記テンプル側アタッチメントに設けられ、前記第１の状態において、前記テンプル側アタッチメントから露出して前記ウェアラブル機器を着脱可能とし、前記第２の状態において、前記ヨロイ側アタッチメントに形成された前記切り欠き部に収納されて前記ウェアラブル機器の着脱が規制されるように構成されている、ことを特徴とするものである。
【００２１】
第１６の観点に係る発明は、第１１、１２、１４又は１５の観点に係るアタッチメントにおいて、
前記装着部は、前記ウェアラブル機器の装着状態で、当該ウェアラブル機器の所定の導電通路を導通させるための導電補助部を有する、ことを特徴とするものである。
【００２２】
第１７の観点に係る発明は、第１６の観点に係るアタッチメントにおいて、
前記導電補助部は、前記第２の状態で前記導電通路を導通させ、前記第１の状態で前記導電通路を遮断するように構成されている、ことを特徴とするものである。
【００２３】
第１８の観点に係る発明は、第１７の観点に係るアタッチメントにおいて、
前記導電補助部は、前記テンプル側アタッチメントに設けられた第１導電部と、前記テンプル部を前記ヨロイ部に対して折り畳み可能に支持する蝶番を介して前記第１導電部に電気的に接続されるように前記ヨロイ側アタッチメントに設けられた第２導電部とを有し、
前記第１の状態で前記ウェアラブル機器が前記装着部に装着されると、前記ウェアラブル機器の前記導電通路に設けられた一方の電極が前記第１導電部または前記第２導電部に電気的に接続され、前記ウェアラブル機器が前記装着部に装着されて前記第２の状態になると、前記ウェアラブル機器の前記導電通路に設けられた他方の電極が前記第２導電部または前記第１導電部に電気的に接続されて、前記ウェアラブル機器の前記一方の電極と前記他方の電極との間が前記導電補助部を介して導通するように構成されている、ことを特徴とするものである。
【発明の効果】
【００２５】
本発明に係る眼鏡フレームによれば、ウェアラブル機器は、テンプル部が折り畳まれた第１の状態で、テンプル部とヨロイ部との結合部に設けられた装着部に着脱可能となるので、着脱が容易にできる。また、ウェアラブル機器を装着部に装着して、テンプル部を使用者の耳に掛けられるように開いた第２の状態とすると、装着部に対するウェアラブル機器の着脱が規制される。これにより、眼鏡フレームからのウェアラブル機器の脱落を確実に防止され、脱落による損傷を防止できる。しかも、ウェアラブル機器の装着部は、眼鏡フレームの側面に位置するテンプル部とヨロイ部との結合部に設けられているので、眼鏡レンズを損傷することがないとともに、ウェアラブル機器の装着状態および非装着状態での見栄えを損なうこともない。
【００２６】
本発明に係るアタッチメントによれば、ヨロイ部と前記テンプル部との結合部に着脱自在に装着されて、テンプル部が折り畳まれた第１の状態で、アタッチメントの装着部にウェアラブル機器が着脱可能となり、ウェアラブル機器を装着部に装着して、テンプル部を使用者の耳に掛けられるように開いた第２の状態とすると、装着部に対するウェアラブル機器の着脱が規制される。したがって、上記の眼鏡フレームの場合と同様の効果が得られる。また、アタッチメントは、樹脂等により容易かつ安価に製造できる利点もある。
【００２７】
本発明に係る眼鏡フレームによれば、テンプル部を折り畳んでウェアラブル機器を装着し、その後、テンプル部を開くと、ウェアラブル機器が眼鏡フレームに着脱が規制されて保持される。したがって、眼鏡フレームに対して、ウェアラブル機器を容易に着脱できるとともに、使用時における脱落を確実に防止できる。しかも、ウェアラブル機器は、眼鏡フレームの側面に位置するテンプル部とヨロイ部との結合部の装着部に装着されるので、眼鏡レンズを損傷することがないとともに、ウェアラブル機器の装着状態および非装着状態での見栄えを損なうこともない。
【図面の簡単な説明】
【００２８】
【図１】本発明の第１実施の形態に係る眼鏡フレームの要部の概略構成を示す図である。
【図２】本発明の第２実施の形態に係る眼鏡フレームの要部の概略構成を示す図である。
【図３】本発明の第３実施の形態に係る眼鏡フレームの要部の概略構成を示す図である。
【図４】本発明の第４実施の形態に係る眼鏡フレームの要部の概略構成を示す図である。
【図５】本発明の第５実施の形態に係る眼鏡フレームの要部の概略構成を示す図である。
【図６】本発明の第６実施の形態に係る眼鏡フレームの要部の概略構成を示す図である。
【図７】本発明の第７実施の形態に係る眼鏡フレームの要部の概略構成を示す図である。
【図８】本発明の第８実施の形態に係る眼鏡フレームの要部の概略構成を示す図である。
【図９】本発明の第９実施の形態に係る眼鏡フレームの要部の概略構成を示す図である。
【図１０】本発明の第１０実施の形態に係るアタッチメントの要部の概略構成を示す図である。
【図１１】本発明に係るアタッチメントの変形例を示す図である。
【図１２】本発明に係るアタッチメントの他の変形例を示す図である。
【図１３】本発明に係る眼鏡フレーム、アタッチメントの変形例を示す図である。
【図１４】本発明に係る眼鏡フレーム、アタッチメントの更に他の変形例を示す図である。
【図１５】本発明に係る眼鏡フレーム、アタッチメントの更に他の変形例を示す図である。
【発明を実施するための形態】
【００２９】
以下、本発明の実施の形態について、図を参照して説明する。なお、以下の説明では、眼鏡フレームとして、眼鏡レンズを固定するリムを有する眼鏡フレームを例にとって説明するが、本発明は、リム付きの眼鏡フレームに限らす、リムの全部または一部が無い、いわゆるリムレスフレームやツーポイントフレームにも適用可能である。
【００３０】
（第１実施の形態）
図１（ａ）〜（ｃ）は、本発明の第１実施の形態に係る眼鏡フレームの要部の概略構成を示すもので、図１（ａ）は斜視図、図１（ｂ）は図１（ａ）に示す結合部の部分拡大斜視図、図１（ｃ）はウェアラブル機器の装着状態を示す部分概略平面図である。
【００３１】
本実施の形態に係る眼鏡フレーム１１は、周知の眼鏡フレームと同様、眼鏡レンズ（図示せず）を固定するリム１２に固定されたヨロイ部１３と、該ヨロイ部１３に蝶番１４を介して折り畳み可能に結合されたテンプル部１５とを有する。また、ヨロイ部１３とテンプル部１５との結合部１６には、ヨロイ部１３側にテンプル部１５に対する当て付け面１３ａが形成され、テンプル部１５側にヨロイ部１３に対する当て付け面１５ａが形成されている。そして、これら当て付け面１３ａ，１５ａは、テンプル部１５が蝶番１４を介して回動されてヨロイ部１３に対して折り畳まれた第１の状態でそれぞれ露出し、テンプル部１５が使用者の耳に掛けられるように開いた第２の状態で互いに当接するようになっている。
【００３２】
眼鏡フレーム１１には、さらに、結合部１６のテンプル部１５側に、ウェアラブル機器２１の装着部１７が設けられている。装着部１７は、テンプル部１５の長手方向に延在して、テンプル部１５のヨロイ部１３に対する当て付け面１５ａに開放したコ字状の開口部１７ａと、開口部１７ａ内でテンプル部１５から長手方向に突出するガイド棒１７ｂとを有している。
【００３３】
この眼鏡フレーム１１には、図１に示すようなウェアラブル機器２１を着脱自在に装着することができる。このウェアラブル機器２１は、例えば画像表示装置からなるもので、眼鏡フレーム１１への取り付け部２２を有する。取り付け部２２は、眼鏡フレーム１１の装着部１７に形成された開口部１７ａに係合する形状を有するとともに、装着部１７に設けられたガイド棒１７ｂが挿入可能なガイド穴２２ａを有している。なお、ガイド穴２２ａの延在方向における取り付け部２２の寸法は。テンプル部１５の長手方向における開口部１７ａの寸法以下となっている。
【００３４】
本実施の形態に係る眼鏡フレーム１１によると、図１（ａ）に示すように、テンプル部１５を、蝶番１４を介して回動させてヨロイ部１３に対して折り畳んだ第１の状態とすると、テンプル部１５のヨロイ部１３に対する当て付け面１５ａが露出する。したがって、この状態で、図１（ｂ）に示すように、ウェアラブル機器２１の取り付け部２２を、当て付け面１５ａ側から装着部１７の開口部１７ａに挿入して、装着部１７のガイド棒１７ｂを、取り付け部２２のガイド穴２２ａに挿入させることにより、ウェアラブル機器２１を装着部１７に容易に装着することができる。
【００３５】
また、図１（ｃ）に示すように、テンプル部１５を、使用者の耳に掛けられるように開いた第２の状態とすると、テンプル部１５の当て付け面１５ａが、ヨロイ部１３の当て付け面１３ａに当接して、開口部１７ａの当て付け面１５ａ側が、ヨロイ部１３の当て付け面１３ａによって閉塞されて、ウェアラブル機器２１の着脱が規制される。したがって、テンプル部１５を第１の状態として、ウェアラブル機器２１を装着部１７に装着後、テンプル部１５を第２の状態とすることにより、ウェアラブル機器２１を装着部１７に脱落することなく保持することができる。
【００３６】
このように、本実施の形態に係る眼鏡フレーム１１によれば、テンプル部１５を折り畳んだ第１の状態とすることにより、ウェアラブル機器２１をテンプル部１５側の装着部１７に容易に着脱することができる。また、ウェアラブル機器２１の装着後、テンプル部１５を開いた第２の状態とすると、ウェアラブル機器２１を装着部１７に脱落することなく保持することができる。これにより、例えば、ウェアラブル機器２１に接続されているケーブル等が誤って引っ張られても、ウェアラブル機器２１の眼鏡フレーム１１からの脱落および脱落による損傷を確実に防止することができる。さらに、装着部１７は、眼鏡フレーム１１の側面に位置するテンプル部１５とヨロイ部１３との結合部１６に設けられているので、眼鏡レンズを損傷することがないとともに、ウェアラブル機器の装着状態および非装着状態での見栄えを損なうこともない。しかも、装着部１７がテンプル部１５側に設けられているので、ウェアラブル機器２１を装着したままで、テンプル部１５の折り畳みが可能となる。したがって、例えば、ウェアラブル機器２１の未使用時には、ウェアラブル機器２１を眼鏡フレーム１１に装着したまま収納することが可能となり、利便性を向上できる。
【００３７】
（第２実施の形態）
図２（ａ）および（ｂ）は、本発明の第２実施の形態に係る眼鏡フレームの要部の概略構成を示すもので、図２（ａ）は結合部の部分拡大斜視図、図２（ｂ）はウェアラブル機器の装着状態を示す部分概略平面図である。
【００３８】
本実施の形態に係る眼鏡フレーム３１は、図１に示した第１実施の形態に係る眼鏡フレーム１１において、装着部１７を結合部１６のヨロイ部１３側に設けたものである。その他の構成は、第１実施の形態と同様であるので、同一作用をなす部材には同一参照符号を付して説明を省略する。
【００３９】
本実施の形態に係る眼鏡フレーム３１によれば、テンプル部１５を折り畳んだ第１の状態とすることにより、ウェアラブル機器２１をヨロイ部１３側に設けられた装着部１７に対して容易に着脱することができる。また、テンプル部１５を開いた第２の状態とすると、ヨロイ部１３の当て付け面１３ａが、テンプル部１５の当て付け面１５ａに当接して、開口部１７ａの当て付け面１３ａ側が、テンプル部１５の当て付け面１５ａによって閉塞されて、ウェアラブル機器２１の着脱が規制される。したがって、テンプル部１５を第１の状態としてウェアラブル機器２１を装着部１７に装着後、テンプル部１５を第２の状態とすることにより、ウェアラブル機器２１を装着部１７に脱落することなく保持することができるので、第１実施の形態の場合と同様の効果を得ることができる。
【００４０】
（第３実施の形態）
図３（ａ）〜（ｃ）は、本発明の第３実施の形態に係る眼鏡フレームの要部の概略構成を示すもので、図３（ａ）は斜視図、図３（ｂ）は図３（ａ）に示す結合部の部分拡大斜視図、図３（ｃ）はウェアラブル機器の装着状態を示す部分概略平面図である。
【００４１】
本実施の形態に係る眼鏡フレーム４１は、図１に示した第１実施の形態に係る眼鏡フレーム１１において、装着部１７を、テンプル部１５の長手方向に延在して、テンプル部１５のヨロイ部１３に対する当て付け面１５ａに開放した鍵穴状の開口部１７ｃにより構成したものである。すなわち、図３（ｂ）に当て付け面１５ａの拡大端面図を示すように、開口部１７ｃを、断面円形のガイド穴１７ｄと、このガイド穴１７ｄをテンプル部１５の外側面に開放するスリット状のガイド溝１７ｅとを有して構成したものである。その他の構成は、第１実施の形態と同様であるので、同一作用をなす部材には同一参照符号を付して説明を省略する。
【００４２】
このように、装着部１７を鍵穴状の開口部１７ｃにより構成すれば、図３に示すような取り付け部２３を有するウェアラブル機器２１を着脱可能に装着することができる。このウェアラブル機器２１の取り付け部２３は、ガイド穴１７ｄに係合可能な球状部２３ａと、該球状部２３ａとウェアラブル機器２１の本体部２１ａとを連結し、ガイド溝１７ｅに係合可能な棒状部２３ｂとを有するボールジョイント状に形成されている。
【００４３】
本実施の形態に係る眼鏡フレーム４１によると、テンプル部１５を折り畳んだ第１の状態で、図３（ａ）に示すように、テンプル部１５の露出した当て付け面１５ａ側から、球状部２３ａをガイド穴１７ｄに、棒状部２３ｂをガイド溝１７ｅにそれぞれ係合させることにより、ウェアラブル機器２１を装着部１７に容易に装着することができる。また、テンプル部１５を、使用者の耳に掛けられるように開いた第２の状態とすると、図３（ｃ）に示すように、テンプル部１５の当て付け面１５ａがヨロイ部１３の当て付け面１３ａに当接して、鍵穴状の開口部１７ｃの当て付け面１５ａ側が、ヨロイ部１３の当て付け面１３ａによって閉塞される。これにより、ウェアラブル機器２１は、装着部１７に対する着脱が規制される。
【００４４】
このように、本実施の形態に係る眼鏡フレーム４１によれば、テンプル部１５を第１の状態としてウェアラブル機器２１を装着部１７に装着後、テンプル部１５を第２の状態とすることにより、ウェアラブル機器２１を装着部１７に脱落することなく保持することができるので、第１実施の形態の場合と同様の効果を得ることができる。また、図３（ｃ）に示す状態で、ウェアラブル機器２１を、棒状部２３ｂを軸として回動調整することも可能となる。
【００４５】
（第４実施の形態）
図４（ａ）および（ｂ）は、本発明の第４実施の形態に係る眼鏡フレームの要部の概略構成を示すもので、図４（ａ）は結合部の部分拡大斜視図、図４（ｂ）はウェアラブル機器の装着状態を示す部分概略平面図である。
【００４６】
本実施の形態に係る眼鏡フレーム５１は、図３に示した第３実施の形態に係る眼鏡フレーム４１において、装着部１７を、ヨロイ部１３とテンプル部１５との結合部１６のヨロイ部１３側に設けたものである。その他の構成は、第３実施の形態と同様であるので、同一作用をなす部材には同一参照符号を付して説明を省略する。
【００４７】
本実施の形態に係る眼鏡フレーム５１によれば、第３実施の形態の場合と同様に、テンプル部１５を折り畳んだ第１の状態とすることにより、ウェアラブル機器２１をヨロイ部１３側の装着部１７に容易に着脱することができる。また、テンプル部１５を開いた第２の状態とすると、ヨロイ部１３の当て付け面１３ａが、テンプル部１５の当て付け面１５ａに当接して、鍵穴状の開口部１７ｃの当て付け面１３ａ側が、テンプル部１５の当て付け面１５ａによって閉塞されて、ウェアラブル機器２１の着脱が規制される。したがって、テンプル部１５を第１の状態としてウェアラブル機器２１を装着部１７に装着後、テンプル部１５を第２の状態とすることにより、ウェアラブル機器２１を装着部１７に脱落することなく保持することができるので、第３実施の形態の場合と同様の効果を得ることができる。
【００４８】
（第５実施の形態）
図５（ａ）および（ｂ）は、本発明の第５実施の形態に係る眼鏡フレームの要部の概略構成を示すもので、図５（ａ）はテンプル部を折り畳んだ第１の状態を示す斜視図、図５（ｂ）はテンプル部を開いた第２の状態を示す結合部の拡大側面図である。なお、上記実施の形態で示した構成部材と同一作用をなす部材には同一参照符号を付して説明を省略する。
【００４９】
本実施の形態に係る眼鏡フレーム６１は、ヨロイ部１３とテンプル部１５との結合部１６において、ヨロイ部１３側に、ヨロイ部１３と一体に設けられたウェアラブル機器２１の装着部６２を有する。装着部６２には、図５（ａ）に示すように、テンプル部１５をヨロイ部１３に対して折り畳んだ第１の状態で、ヨロイ部１３から突出して露出する受け板６２ａと、この受け板６２ａから蝶番１４の軸方向に突設されたガイド棒６２ｂとを設ける。なお、ガイド棒６２ｂは、使用者が眼鏡フレーム６１を装着した状態で、受け板６２ａから上方に突設するのが好ましい。また、テンプル部１５には、図５（ｂ）に示すように、使用者の耳に掛けられるように開いた第２の状態で、ヨロイ部１３に設けられた装着部６２が収納される切り欠き部６３を形成する。
【００５０】
この眼鏡フレーム６１には、図５（ａ）に示すような取り付け部２４を有するウェアラブル機器２１を着脱自在に装着することができる。この取り付け部２４は、装着部６２の受け板６２ａに載置可能で、図５（ｂ）に示す状態で、テンプル部１５のきり欠き部６３に収納される形状を有し、かつ受け板６２ａに設けられたガイド棒６２ｂが挿入可能なガイド穴２４ａを有している。
【００５１】
本実施の形態に係る眼鏡フレーム６１によれば、テンプル部１５を折り畳んだ第１の状態とすると、図５（ａ）に示すように、装着部６２がヨロイ部１３から突出して露出する。したがって、この状態で、ウェアラブル機器２１の取り付け部２４に形成されたガイド穴２４ａに、装着部６２に突設されたガイド棒６２ｂを挿入するように、取り付け部２４を装着部６２の受け板６２ａに載置することにより、ウェアラブル機器２１を装着部６２に容易に装着することができる。
【００５２】
また、テンプル部１５を、使用者の耳に掛けられるように開いた第２の状態とすると、装着部６２は、図５（ｂ）に示すように、テンプル部１５に形成された切り欠き部６３に収納されて、ウェアラブル機器２１の着脱が規制される。したがって、テンプル部１５を第１の状態としてウェアラブル機器２１を装着部６２に装着後、テンプル部１５を第２の状態とすることにより、ウェアラブル機器２１を装着部６２に脱落することなく保持することができるので、第１実施の形態と同様の効果が得られる。
【００５３】
（第６実施の形態）
図６（ａ）および（ｂ）は、本発明の第６実施の形態に係る眼鏡フレームの要部の概略構成を示すもので、図６（ａ）はテンプル部を折り畳んだ第１の状態を示す斜視図、図６（ｂ）はテンプル部を開いた第２の状態を示す結合部の拡大側面図である。
【００５４】
本実施の形態に係る眼鏡フレーム７１は、図５に示した第５実施の形態に係る眼鏡フレーム６１において、装着部６２を結合部１６のテンプル部１５側に、テンプル部１５と一体に設け、ヨロイ部１３側に装着部６２を装脱可能に収納する切り欠き部６３を形成したものである。その他の構成は、第５実施の形態と同様であるので、同一作用をなす部材には同一参照符号を付して説明を省略する。
【００５５】
本実施の形態に係る眼鏡フレーム７１によれば、テンプル部１５を折り畳んだ第１の状態とすると、図６（ａ）に示すように、装着部６２がテンプル部１５から突出して露出する。したがって、この状態で、第５実施の形態の場合と同様にして、ウェアラブル機器２１を装着部６２に容易に着脱することができる。また、テンプル部１５を、使用者の耳に掛けられるように開いた第２の状態とすると、装着部６２は、図６（ｂ）に示すように、ヨロイ部１３に形成された切り欠き部６３に収納されて、ウェアラブル機器２１の着脱が規制される。したがって、テンプル部１５を第１の状態としてウェアラブル機器２１を装着部６２に装着後、テンプル部１５を第２の状態とすることにより、ウェアラブル機器２１を装着部６２に脱落することなく保持することができるので、第５実施の形態と同様の効果が得られる。
【００５６】
（第７実施の形態）
図７（ａ）および（ｂ）は、本発明の第７実施の形態に係る眼鏡フレームの要部の概略構成を示すもので、図７（ａ）はテンプル部を折り畳んだ第１の状態を示す斜視図、図７（ｂ）はテンプル部を開いた第２の状態を示す結合部の拡大側面図である。
【００５７】
本実施の形態に係る眼鏡フレーム８１は、図５に示した第５実施の形態に係る眼鏡フレーム６１において、ヨロイ部１３側に設けた装着部６２を、第１の状態で、ヨロイ部１３から蝶番１４の回転軸と直交する方向に突出して露出するガイド棒６２ｃにより構成したものである。その他の構成は、第５実施の形態と同様であるので、同一作用をなす部材には同一参照符号を付して説明を省略する。
【００５８】
この眼鏡フレーム８１には、図７（ａ）に示すような取り付け部２５を有するウェアラブル機器２１を着脱自在に装着することができる。この取り付け部２５は、装着部６２のガイド棒６２ｃが挿入可能なガイド穴２５ａを有し、かつ、図７（ｂ）に示す状態で、テンプル部１５のきり欠き部６３に収納される形状を有している。
【００５９】
本実施の形態に係る眼鏡フレーム８１によれば、テンプル部１５を折り畳んだ第１の状態とすると、図７（ａ）に示すように、装着部６２を構成するガイド棒６２ｃがヨロイ部１３から突出して露出する。したがって、この状態で、ウェアラブル機器２１の取り付け部２５に形成されたガイド穴２５ａにガイド棒６２ｃを挿入することにより、ウェアラブル機器２１を装着部６２に容易に装着することができる。
【００６０】
また、装着部６２にウェアラブル機器２１を装着後、テンプル部１５を第２の状態とすると、装着部６２を構成するガイド棒６２ｃは、図７（ｂ）に示すように、テンプル部１５に形成された切り欠き部６３に収納されて、ウェアラブル機器２１の着脱が規制される。したがって、テンプル部１５を第１の状態としてウェアラブル機器２１を装着部６２に装着後、テンプル部１５を第２の状態とすることにより、ウェアラブル機器２１を装着部６２に脱落することなく保持することができるので、第５実施の形態と同様の効果が得られる。
【００６１】
（第８実施の形態）
図８（ａ）および（ｂ）は、本発明の第８実施の形態に係る眼鏡フレームの要部の概略構成を示すもので、図８（ａ）はテンプル部を折り畳んだ第１の状態を示す斜視図、図８（ｂ）はテンプル部を開いた第２の状態を示す結合部の拡大側面図である。
【００６２】
本実施の形態に係る眼鏡フレーム９１は、図７に示した第７実施の形態に係る眼鏡フレーム７１において、装着部６２を構成するガイド棒６２ｃを、結合部１６のテンプル部１５側に、テンプル部１５と一体に設け、ヨロイ部１３側に装着部６２を装脱可能に収納する切り欠き部６３を形成したものである。その他の構成は、第７実施の形態と同様であるので、同一作用をなす部材には同一参照符号を付して説明を省略する。
【００６３】
本実施の形態に係る眼鏡フレーム９１によれば、テンプル部１５を折り畳んだ第１の状態とすると、図８（ａ）に示すように、装着部６２を構成するガイド棒６２ｃがテンプル部１５から突出して露出する。したがって、この状態で、第７実施の形態の場合と同様にして、ウェアラブル機器２１の取り付け部２５に形成されたガイド穴２４ａにガイド棒６２ｃを挿入することにより、ウェアラブル機器２１を装着部６２に容易に装着することができる。また、テンプル部１５を、使用者の耳に掛けられるように開いた第２の状態とすると、装着部６２は、図８（ｂ）に示すように、ヨロイ部１３に形成された切り欠き部６３に収納されて、ウェアラブル機器２１の着脱が規制される。したがって、テンプル部１５を第１の状態としてウェアラブル機器２１を装着部６２に装着後、テンプル部１５を第２の状態とすることにより、ウェアラブル機器２１を装着部６２に脱落することなく保持することができるので、第７実施の形態と同様の効果が得られる。
【００６４】
（第９実施の形態）
図９（ａ）〜（ｃ）は、本発明の第９実施の形態に係る眼鏡フレームの要部の概略構成を示すもので、図９（ａ）は斜視図、図９（ｂ）は図９（ａ）に示す結合部の部分拡大斜視図、図９（ｃ）はウェアラブル機器の装着状態を示す部分概略平面図である。
【００６５】
本実施の形態に係る眼鏡フレーム１１０においては、図３に示した第３実施の形態に係る眼鏡フレーム４１において、テンプル部１５の鍵穴状の開口部１７ｃを構成するスリット状のガイド溝１７ｅを、テンプル部１５の下面に開放させる。また、ヨーク部１３には、テンプル部１５側に形成した鍵穴状の開口部１７ｃと同様の鍵穴状の開口部１７ｆを、ヨロイ部１３の当て付け面１３ａに開放して形成し、これらテンプル部１５側の開口部１７ｃとヨロイ部１３側の開口部１７ｆとにより装着部１７を構成する。その他の構成は、第３実施の形態と同様であるので、同一作用をなす部材には同一参照符号を付して説明を省略する。
【００６６】
このように、ヨロイ部１３とテンプル部１５との双方に鍵穴状の開口部１７ｃ，１７ｆを形成して装着部１７を構成すれば、図９（ａ）に示すような２分割可能なウェアラブル機器１２１を着脱自在に装着することが可能となる。ここで、２分割可能なウェアラブル機器１２１としては、例えば、分離可能な画像表示部１２１ａと導光部１２１ｂとを有し、画像表示部１２１ａに表示された画像の画像光を、導光部１２１ｂを経て眼鏡フレーム１１０の使用者の瞳孔に導く画像表示装置が想定される。この場合は、画像表示部１２１ａ側に、テンプル部１５側の開口部１７ｃに挿脱可能な取り付け部１２２ａを設け、導光部１２１ｂ側に、ヨロイ部１３側の開口部１７ｆに挿脱可能な取り付け部１２２ｂを設けることにより、眼鏡フレーム１１０への着脱が可能となる。
【００６７】
本実施の形態によれば、テンプル部１５を折り畳んだ第１の状態で、図９（ｂ）に示すように、テンプル部１５の露出した当て付け面１５ａ側から、画像表示部１２１ａの取り付け部１２２ａを開口部１７ｃに着脱自在に挿脱でき、ヨロイ部１３の露出した当て付け面１３ａ側から、導光部１２１ｂの取り付け部１２２ｂを開口部１７ｆに着脱自在に挿脱することができる。また、テンプル部１５を、使用者の耳に掛けられるように開いた第２の状態とすると、テンプル部１５の当て付け面１５ａがヨロイ部１３の当て付け面１３ａに当接して、ウェアラブル機器１２１の装着部１７に対する着脱が規制される。
【００６８】
したがって、テンプル部１５を第１の状態として、画像表示部１２１ａをテンプル部１５側に、導光部１２１ｂをヨロイ部１３側にそれぞれ装着した後、テンプル部１５を第２の状態とすることにより、画像表示部１２１ａと導光部１２１ｂとを一体化した画像表示装置１２１として、装着部１７に脱落することなく保持することができる。
【００６９】
また、この状態から、テンプル部１５を折り畳んで第１の状態とすると、画像表示部１２１ａおよび導光部１２１ｂが分離されるので、第１の状態での画像表示部１２１ａおよび導光部１２１ｂの嵩張りを最小限に抑えることが可能となる。したがって、例えば、画像表示装置１２１の未使用時には、眼鏡フレーム１１０に装着したまま容易に収納することが可能となり、利便性を向上できる。
【００７０】
また、開口部１７ｃは、テンプル部１５の当て付け面１５ａおよび下面に開放し，開口部１７ｆは、ヨロイ部１３の当て付け面１３ａおよび下面に開放しているので、ウェアラブル機器を装着していないテンプル部１５の第２の状態では、開口部１７ｃ，１７ｆが目立たない。したがって、見栄えの低下をより防止することができる。なお、開口部１７ｃ，１７ｆは、第１実施の形態および第２実施の形態で示したような開口部１７ａおよびガイド棒１７ｂを有する構成とすることもできるし、第３実施の形態および第４実施の形態で示した開口部１７ｃを有する構成とすることもできる。
【００７１】
（第１０実施の形態）
図１０（ａ）〜（ｃ）は、本発明の第１０実施の形態に係るアタッチメントの要部の概略構成を示すもので、図１０（ａ）は眼鏡フレームへの取り付け状態を示す斜視図、図１０（ｂ）および（ｃ）はアタッチメントへのウェアラブル機器の取り付け方法の説明図である。
【００７２】
本実施の形態に係るアタッチメント１３０は、眼鏡フレームのヨロイ部１３とテンプル部１５との結合部１６において、蝶番１４にネジ１４ａにより着脱自在に取り付けられるもので、ヨロイ側アタッチメント１３１とテンプル側アタッチメント１３２とを備える。ヨロイ側アタッチメント１３１には、テンプル側アタッチメント１３２に対する当て付け面１３１ａが形成されており、テンプル側アタッチメント１３２には、ヨロイ側アタッチメント１３１に対する当て付け面１３２ａが形成されている。
【００７３】
アタッチメント３０は、蝶番１４に取り付けられた状態で、テンプル側アタッチメント１３２が、ヨロイ部１３およびヨロイ側アタッチメント１３１に対してテンプル部１５と一体に回動する。そして、ヨロイ側アタッチメント１３１の当て付け面１３１ａおよびテンプル側アタッチメント１３２の当て付け面１３２ａは、テンプル部１５がヨロイ部１３に対して折り畳まれた第１の状態でそれぞれ露出し、テンプル部１５が使用者の耳に掛けられるように開いた第２の状態で互いに当接するようになっている。
【００７４】
また、テンプル側アタッチメント１３２には、ウェアラブル機器２１の装着部１３３が設けられている。この装着部１３３には、テンプル側アタッチメント１３２が蝶番１４に取り付けられた状態で、当て付け面１３２ａに開放し、かつ、テンプル部１５の外側面を露出させるように、テンプル部１５の長さ方向に延在して開口部１３３ａが形成されているとともに、この開口部１３３ａに、テンプル部１５の長さ方向に延在するように、ガイド穴１３３ｂが形成されている。
【００７５】
このアタッチメント１３０には、図１０（ａ）に示すような取り付け部２７を有するウェアラブル機器２１を着脱自在に装着することができる。このウェアラブル機器２１の取り付け部２７は、テンプル側アタッチメント１３２の装着部１３３に収納可能な形状を有し、かつ、ガイド穴１３３ｂに挿入可能なガイド棒２７ａを有している。
【００７６】
本実施の形態に係るアタッチメント１３０によれば、図１０（ａ）に示すように、ヨロイ側アタッチメント１３１とテンプル側アタッチメント１３２とを蝶番１４に取り付けて、テンプル部１５を折り畳んだ第１の状態とし、この状態で、テンプル側アタッチメント１３２の露出した当て付け面１３２ａ側から、取り付け部２７を装着部１３３の開口部１３３ａに挿入して、テンプル側アタッチメント１３２のガイド穴１３３ｂに、取り付け部２７のガイド棒２７ａを挿入する。これにより、図１０（ｂ）に示すように、ウェアラブル機器２１をテンプル側アタッチメント１３２に装着する。なお、ウェアラブル機器２１の取り付け部２７は、図１０（ｂ）に示すテンプル側アタッチメント１３２への装着状態で、ヨロイ部側端面が、テンプル側アタッチメント１３２の当て付け面１３２ａおよびテンプル部１５の当て付け面１５ａとほぼ同一面となるようにするのが好ましい。
【００７７】
また、図１０（ｃ）に示すように、テンプル部１５を、使用者の耳に掛けられるように開いた第２の状態とすると、テンプル側アタッチメント１３２の当て付け面１３２ａが、ヨロイ側アタッチメント１３１の当て付け面１３１ａに当接して、装着部１３３からのウェアラブル機器２１の着脱が規制される。したがって、アタッチメント１３０を蝶番１４に装着後、テンプル部１５を第１の状態として、ウェアラブル機器２１をテンプル側アタッチメント１３２の装着部１３３に装着し、その後、テンプル部１５を第２の状態とすることにより、アタッチメント１３０を介してウェアラブル機器２１を眼鏡フレームに脱落することなく保持することが可能となる。
【００７８】
本実施の形態に係るアタッチメント１３０を用いれば、上記実施の形態と同様の効果が得られる。また、アタッチメント１３０は、ウェアラブル機器２１を使用する場合に眼鏡フレームに取り付ければ良く、眼鏡フレームに何らの細工を施す必要がないので、眼鏡フレームの見栄えを何ら損なうことがない。
【００７９】
なお、本発明は、上記実施の形態に限定されるものではなく、幾多の変形または変更が可能である。例えば、図１および図２に示した構成において、装着部１７に設けたガイド棒１７ｂをウェアラブル機器２１の取り付け部２２側に設け、取り付け部２２側のガイド穴２２ａを装着部１７側に設けることもできる。また、図１０に示したアタッチメント１３０の装着部１３３は、テンプル側アタッチメント１３２に限らず、図１１に示すようにヨロイ側アタッチメント１３１に設けたり、図９のように２分割可能なウェアラブル機器に対応するために、テンプル側アタッチメント１３２とヨロイ側アタッチメント１３１との双方に設けたりすることもできる。また、この装着部１３３は、図１〜図４に示した装着部のように構成することもできるし、図５〜図８に示したように構成することもできる。図１２（ａ）〜（ｄ）は、それぞれ図５〜図８に示した装着部をアタッチメント１３０に設けた場合を例示するもので、同様の作用を成す部材には同一参照符号を付してある。
【００８０】
また、眼鏡フレームあるいはアタッチメントのウェアラブル機器の装着部には、ウェアラブル機器の装着状態で、当該ウェアラブル機器の所定の導電通路を導通させるための導通補助部を設けることもできる。例えば、図１、図２、図５〜図８、図１２（ａ）〜（ｄ）にように、装着部側に、ウェアラブル機器の取り付け部に形成されたガイド穴等の穴部材に挿入されるガイド棒等の棒状部材を有する場合は、例えば棒状部材を金属として導電補助部としても作用させ、穴部材は絶縁部材で形成して、その穴部材内に軸方向に離間して２個の接点を設ける。そして、穴部材に棒状部材を挿入してウェアラブル機器を装着部に装着することにより、穴部材側の２個の接点間を、金属の棒状部材を介して電気的に接続してウェアラブル機器の電源通路を導通させて、電源をオンにするように構成することもできる。
【００８１】
また、逆に、例えば図９や図１０のように、装着部側に、ウェアラブル機器の取り付け部に形成されたガイド棒等の棒状部材が挿入するガイド穴等の穴部材を有する場合は、穴部材内周を導電性として導電補助部としても作用させ、ウェアラブル機器側の棒状部材は絶縁性として、その軸方向に離間して２個の接点を設け、ウェアラブル機器を装着部に装着することにより、穴部材内周を介して２個の接点間を導通させて、同様に、電源をオンにするように構成することもできる。
【００８２】
あるいは、図１〜図９に示したように、ウェアラブル機器を眼鏡フレームに直接装着する場合は、例えば図１３（ａ）に示すように、眼鏡フレーム１４１の装着部１４２に導電補助部としてのマグネット１４３を設け、ウェアラブル機器１５１の取り付け部１５２にはリードスイッチ１５３を設けて、取り付け部１５２を装着部１４２に装着した際に、リードスイッチ１５３が閉成して、ウェアラブル機器１５１の電源をオンにするように構成することもできる。同様に、図１０〜図１２に示したように、アタッチメントを介してウェアラブル機器を眼鏡フレームに装着する場合は、図１３（ｂ）に示すように、アタッチメント１６１の装着部１６２に導電補助部としてのマグネット１６３を設けて、ウェアラブル機器１５１の取り付け部１５２を装着部１４２に装着した際に、取り付け部１５２のリードスイッチ１５３が閉成して、ウェアラブル機器１５１の電源をオンにするように構成することもできる。
【００８３】
また、導電補助部は、眼鏡フレームやアタッチメントの装着部へのウェアラブル機器の装着状態で、テンプル部が折り畳まれた第１の状態では、ウェアラブル機器の電源通路が遮断されて電源がオフとなり、テンプル部が使用者の耳に掛けられるように開いた第２の状態では、ウェアラブル機器の電源通路が導通して電源がオンとなるように構成することもできる。
【００８４】
例えば、ウェアラブル機器の装着部がテンプル部側に形成され、かつ、ウェアラブル機器の取り付け部が、第２の状態でヨロイ部側の当て付け面に面接触するように当接する場合は、ヨロイ部側の当て付け面を導電性として導電補助部としても作用させ、このヨロイ部側の当て付け面に当接するウェアラブル機器の取り付け部側の当接面は絶縁性として、この当接面に離間して２個の接点を設ける。そして、ウェアラブル機器をテンプル部側の装着部に装着して、テンプル部を第２の状態とすることにより、ウェアラブル機器側の２個の接点間を、ヨロイ部側の導電性の当て付け面を介して電気的に接続して、ウェアラブル機器の電源通路を導通させて電源をオンにし、テンプル部を第１の状態とすると、ウェアラブル機器側の２個の接点間を開放して、ウェアラブル機器の電源通路を遮断して電源をオフにする。
【００８５】
ウェアラブル機器の装着部がヨロイ部側に形成され、かつ、ウェアラブル機器の取り付け部が、第２の状態でテンプル部側の当て付け面に面接触するように当接する場合は、テンプル部側の当て付け面を導電性として導電補助部としても作用させて、上記と同様に構成する。また、アタッチメントの場合も同様に構成することができる。
【００８６】
あるいは、図１４（ａ）に示すように、図１３（ａ）に示した構成において、導電補助部としてのマグネット１４３をヨロイ部１３の当て付け面１３ａ側に設け、テンプル部１５が第２の状態にあるときに、ウェアラブル機器１５１の取り付け部１５２に設けられたリードスイッチ１５３が閉成して、ウェアラブル機器１５１の電源がオンとなり、テンプル部１５が図１４（ａ）に示す第１の状態にあるときは、ウェアラブル機器１５１のリードスイッチ１５３が開放されて電源がオフとなるように構成することもできる。
【００８７】
同様に、図１４（ｂ）に示すように、図１３（ｂ）に示した構成において、導電補助部としてのマグネット１６３をヨロイ側アタッチメントに設けて、テンプル部１５が第２の状態にあるときに、ウェアラブル機器１５１の取り付け部１５２に設けられたリードスイッチ１５３が閉成して、ウェアラブル機器１５１の電源がオンとなり、テンプル部１５が図１４（ａ）に示す第１の状態にあるときは、ウェアラブル機器１５１のリードスイッチ１５３が開放されて電源がオフとなるように構成することもできる。
【００８８】
また、アタッチメントは、ヨロイ部側とテンプル部側とを対として設ける必要はなく、いずれか一方とすることもできる。この場合は、アタッチメントに、テンプル部の回動に連動して、テンプル部が折り畳まれた第１の状態では、装着部を露出してウェアラブル機器の着脱を可能とし、テンプル部が開かれた第２の状態では、装着部を閉塞してウェアラブル機器の挿脱を規制するシャッタ部材を設ける。
【００８９】
さらに、例えば、図１５（ａ）に示すように、眼鏡フレーム１４１が絶縁部材からなり蝶番１４５が導電性部材からなる場合は、テンプル部１５側の例えばガイド棒１４６を導電処理して第１導電部１４７を形成し、ヨロイ部１３側の当て付け面１３ａにも導電処理した第２導電部１４８を形成し、これら第１導電部１４７および第２導電部１４８を破線で示す導電パターン等の配線および蝶番１４５を介して電気的に接続して導電補助部を構成することもできる。この場合は、ウェアラブル機器１５１の取り付け部１５２を絶縁性部材で形成して、ガイド棒１４６が挿入するガイド穴１５４を導電処理して一方の電極１５６を形成し、ヨロイ部１３側の当て付け面１３ａに当接する側には他方の電極１５７を形成する。
【００９０】
そして、テンプル部１５が折り畳まれた第１の状態で、ウェアラブル機器１５１を装着部１４２に装着すると、取り付け部１５２の一方の電極１５６が第１導電部１４７に電気的に接続され、その後、テンプル部１５を第２の状態とすると、取り付け部１５２の他方の電極１５７がヨロイ部１３の第２導電部１４８に電気的に接続されて、取り付け部１５２の電極１５６と電極１５７とが破線で示す配線および蝶番１４５を介して導通する。これにより、ウェアラブル機器１５１側で、電極１５６および電極１５７に接続された電源回路を自動的にオンとする。
【００９１】
同様に、例えば、図１５（ｂ）に示すように、アタッチメント１６１が絶縁部材からなり眼鏡フレームの蝶番が導電性部材からなる場合は、テンプル側アタッチメントのガイド穴１６５を導電処理して第１導電部１６７を形成し、ヨロイ側アタッチメントの当て付け面にも導電処理した第２導電部１６８を形成し、これら第１導電部１６７および第２導電部１６８を破線で示す導電パターン等の配線および蝶番を介して電気的に接続して導電補助部を構成することもできる。この場合は、ウェアラブル機器１５１の取り付け部１５２を絶縁性部材で形成して、ガイド穴１６５に挿入するガイド棒１５５を導電処理して一方の電極１５６を形成し、ヨロイ側アタッチメントの当て付け面に当接する側には他方の電極１５７を形成する。
【００９２】
そして、テンプル部１５が折り畳まれた第１の状態で、ウェアラブル機器１５１をアタッチメント１６１の装着部１６２に装着すると、取り付け部１５２の一方の電極１５６が第１導電部１６７に電気的に接続され、その後、テンプル部１５を第２の状態とすると、取り付け部１５２の他方の電極１５７がヨロイ側アタッチメントの第２導電部１６８に電気的に接続されて、取り付け部１５２の電極１５６と電極１５７とが破線で示す配線および蝶番を介して導通する。これにより、ウェアラブル機器１５１側で、電極１５６および電極１５７に接続された電源回路を自動的にオンとする。
【００９３】
なお、図１５（ａ），（ｂ）の構成は、他の実施の形態にも同様に適用することができる。また、眼鏡フレーム自体あるいはアタッチメント自体を導電性部材で形成して導電補助部を構成することにより、図１５（ａ），（ｂ）と同様の作用を行わせることもできる。さらに、上記各実施の形態や変形例において、ウェアラブル機器の駆動電源（バッテリ）は、ウェアラブル機器側あるいは眼鏡フレーム側に設けることができる。
【符号の説明】
【００９４】
１１，３１，４１，５１，６１，７１，８１，９１，１１０  眼鏡フレーム
１３  ヨロイ部
１３ａ，１５ａ  当て付け面
１４  蝶番
１５  テンプル部
１６  結合部
１７  装着部
１７ａ，１７ｃ，１７ｆ  開口部
１７ｂ  ガイド棒
１７ｄ  ガイド穴
１７ｅ  ガイド溝
２１，１２１  ウェアラブル機器
２２，２３，２４，２５，２７  取り付け部
２２ａ  ガイド穴
２３ａ  球状部
２３ｂ  棒状部
２４ａ，２５ａ  ガイド穴
２７ａ  ガイド棒
６２  装着部
６２ａ  受け板
６２ｂ，６２ｃ  ガイド棒
６３  切り欠き部
１２２ａ，１２２ｂ  取り付け部
１３０  アタッチメント
１３１  ヨロイ側アタッチメント
１３１ａ，１３２ａ  当て付け面
１３２  テンプル側アタッチメント
１３３  装着部
１３３ａ  開口部
１３３ｂ  ガイド穴
１４１  眼鏡フレーム
１４２  装着部
１４３  マグネット
１４５  蝶番
１４７  第１導電部
１４８  第２導電部
１５１  ウェアラブル機器
１５２  取り付け部
１５３  リードスイッチ
１５６，１５７  電極
１６１  アタッチメント
１６２  装着部
１６３  マグネット
１６７  第１導電部
１６８  第２導電部
【図１】
0005400542.tif 000002
【図２】
0005400542.tif 000003
【図３】
0005400542.tif 000004
【図４】
0005400542.tif 000005
【図５】
0005400542.tif 000006
【図６】
0005400542.tif 000007
【図７】
0005400542.tif 000008
【図８】
0005400542.tif 000009
【図９】
0005400542.tif 000010
【図１０】
0005400542.tif 000011
【図１１】
0005400542.tif 000012
【図１２】
0005400542.tif 000013
【図１３】
0005400542.tif 000014
【図１４】
0005400542.tif 000015
【図１５】
0005400542.tif 000016